(57)【要約】  【課題】換気扇などの強制手段を使用しないで、生肉などから発生し易い臭気や異臭などを自然と排出でき、しかも冷却効率を低下させる恐れのない省エネタイプの冷蔵庫を実現する。  【解決手段】冷蔵庫の庫室をファン無しの排気管で外気と連通させることによって、庫室内の軽い臭気が排気管から自然と外部に排出される構造となっているため、庫室内の温度差などによる対流やドアを開閉する際の自然な空気流と共に、庫室内の臭気が排気管に流れ込み、次いでドア閉鎖圧によって外気中に排出される。従って、特別な強制排気手段を設けなくても、自然と庫室内の臭気が排出されるので、庫室内に悪臭が溜まるような問題が解消される。強制排気されないので、熱効率も良く、省エネタイプである。【選択図】図１
2009276055.tif 000002
【特許請求の範囲】
【請求項１】
冷蔵庫の１以上の庫室をファン無しの排気管で外気と連通させることによって、ドアの開閉時の空気流の作用を受けて、庫室内の臭気が排気管から自然と外部に排出される構造となっていることを特徴とする冷蔵庫。
【請求項２】
任意の庫室の天井部を前記排気管で又は連通管経由の排気管で外気と連通させることを特徴とする請求項１に記載の冷蔵庫。
【請求項３】
庫室の天井面を傾斜させて、その傾斜上部を前記排気管又は連通管を介して外気と接続し、かつ傾斜上部をドア寄り又は任意の位置に配設してあることを特徴とする請求項１または請求項２に記載の冷蔵庫。
【請求項４】
下側の段の庫室が、連通手段を介して上側の段の庫室又は前記排気管と連通していることを特徴とする請求項１、請求項２または請求項３に記載の冷蔵庫。
【請求項５】
前記排気管にフィルター手段を設けて、虫や異物が庫室内に侵入不能な構造としたことを特徴とする請求項１から請求項４までのいずれかの項に記載の冷蔵庫。
【請求項６】
最上段の庫室の天井内面および／又は天井外面に庫室より小型の臭気溜め室を設け、該臭気溜め室に前記の排気管を設けることを特徴とす請求項１から請求項５までのいずれかに記載の冷蔵庫。
【請求項７】
冷蔵庫の使用開始時に前記の排気管を装備できるように、排気管を取付けるための取付け孔を予め用意しておき、若しくは容易に孔開けできるように下準備してあり、又は排気管の外部突出部が着脱構造となっていることを特徴とする請求項１から請求項６までのいずれかに記載の冷蔵庫。
【請求項８】
冷蔵庫の任意の１以上の庫室を排気管で外気と連通させておき、ドアの開閉時の庫内の圧力上昇や空気流の作用を受けて、庫室内の臭気を排気管で外部に自然と排出することを特徴とする冷蔵庫の臭気排出方法。
【請求項９】
冷蔵庫の１以上の庫室をファン無しの排気管で外気と連通させることによって、ドアの開閉時の空気流の作用を受けて、庫室内の臭気が排気管から自然と外部に排出される構造において、
上下の庫室間の棚板又は底板に下向きの排気管を設けて、その下端を外気に開口させることによって、前記棚板又は底板上の庫内空気より重い臭気を排出する構造となっていることを特徴とする冷蔵庫。
【発明の詳細な説明】
【技術分野】
【０００１】
本発明は、冷蔵庫内の臭気や悪臭などを、ドアの開閉時の空気流の作用で自然と効果的に排出可能とした自然排気式の冷蔵庫に関する。
【背景技術】
【０００２】
実開平６−４５７６号公報に記載のように、壁面上部通気孔の換気扇にて庫外の新鮮な空気を庫内へ強制吸気させて、対面の壁面下部通気孔の換気扇にて庫外へ強制排気を行う構造が提案されている。
このようにして庫内冷気の還流がスムーズにでき、生鮮食品の鮮度を保つことができる。このような強制排気によって、冷蔵物特に生鮮食料の貯蔵に当たり、貯蔵物より排泄される新陳代謝ガス等即ち、エチレンガスや炭酸ガス、臭気ガス等の蓄積を一日に２回程度タイマーにより強制的に庫外へ排気を行う。これにより生鮮食品の急速な熟成及び腐敗から防止でき、長期保存が可能となる。
【先行技術文献】
【特許文献】
【０００３】
【特許文献１】実開平６−４５７６
【発明の概要】
【発明が解決しようとする課題】
【０００４】
前記のように、プレハブ冷蔵庫において、庫外の新鮮な空気を庫内へ強制吸気して、対面の壁面下部通気孔の換気扇にて庫外へ強制排気すれば、生鮮食品などの貯蔵物より排泄される新陳代謝ガス等を排出できるが、吸気用の換気扇や排気用の換気扇を必要とし、かつ折角の冷気を逃がすことになり、効率的でない。
本発明の技術的課題は、このような問題に着目し、換気扇などの強制手段を使用しないで、生肉などから発生し易い臭気や異臭などを、ドアの開閉時の空気流の作用を受けて自然と排出でき、しかも冷却効率を低下させる恐れのない冷蔵庫を実現することにある。臭気や異臭は空気より軽い気体も重い気体も有るので、いずれにも対応可能な構成となっている。
【課題を解決するための手段】
【０００５】
本発明の技術的課題は次のような手段によって解決される。請求項１は、冷蔵庫の１以上の庫室をファン無しの排気管で外気と連通させることによって、ドア開閉時の空気流の作用を受けて、庫室内の臭気が排気管から自然と外部に排出される構造となっていることを特徴とする冷蔵庫である。
このように、冷蔵庫の庫室をファン無しの排気管で外気と連通させて、ドアの開閉時の空気流の作用を受けて、庫室内の臭気が排気管から自然と外部に排出される構造となっているため、庫室内の温度差などによる対流やドアを開閉する際の圧力や空気流の変化で、庫室内の臭気が排気管に押し込まれ、次いで外気中に排出される。したがって、特別の強制排気手段を設けなくても、自然に庫室内の臭気が排出されるので、庫室内に悪臭が溜まるような問題が解消される。
【０００６】
請求項２は、任意の庫室の天井部を前記排気管で又は連通管経由の排気管で外気と連通させることを特徴とする請求項１に記載の冷蔵庫である。
庫室内の軽い空気は天井寄りに上昇し停滞するので、請求項２のように、冷蔵庫の任意の庫室の天井部を排気管で又は連通管経由の排気管で外気と連通させる構造とすることで、天井寄りに上昇し停滞している軽い臭気が効果的に速やかに排気管や連通管経由の排気管中に上昇し、次いでドアの開閉時の空気流で外気中に押し出される。
【０００７】
請求項３は、庫室の天井面を傾斜させて、その傾斜上部を前記排気管又は連通管を介して外気と接続し、かつ傾斜上部をドア寄り又は任意の位置に配設してあることを特徴とする請求項１または請求項２に記載の冷蔵庫である。
このように、天井面を傾斜させて、その傾斜上部を排気管又は連通管を介して外気と接続してあるため、天井面の傾斜上部に上昇し停滞している軽い臭気が効果的かつ速やかに排気管や連通管中に上昇し、次いでドアの開閉時の空気流で外気中に押し出される。
また、各庫室内は、外気が入り易いドア寄りの温度が高いので、傾斜上部をドア寄りに配設してあると、臭気の上昇排出も速やかになる。
【０００８】
請求項４は、図１、図２のように、下側の段の庫室が、連通手段を介して上側の段の庫室又は前記排気管と連通していることを特徴とする請求項１、請求項２または請求項３に記載の冷蔵庫である。
このように、下側の段の庫室が、連通管を介して上側の段の庫室と連通しているので、図１のように、下段の庫室の軽い臭気は上段の庫室を経由して、排気管６中に上昇し、次いでドア開閉時の空気流で大気中に押し出される。
あるいは、図２のように、下段の庫室が連通管９を介して前記排気管６と連通している場合は、上段の庫室を通過しないで、連通管９から前記排気管６を経由して、大気中に排出されるので、上段の庫室を、下段の庫室で発生した軽い臭気で汚損する恐れがない。
【０００９】
請求項５は、前記排気管にフィルター手段を設けて、虫や異物が庫室内に侵入不能な構造としたことを特徴とする請求項１から請求項４までのいずれかの項に記載の冷蔵庫である。
このように、前記排気管にフィルター手段を設けてフィルターで塞いであるので、虫や異物が庫室内に侵入して不衛生となる恐れがない。
なお、フィルターの付近に脱臭剤を設けておくと、排出された臭気で、付近が匂うのを抑制でき、室内に冷蔵庫を設置してある場合に好適である。
【００１０】
請求項６は、最上段の庫室の天井内面および／又は天井外面に庫室より小型の臭気溜め室を設け、該臭気溜め室に前記の排気管を設けることを特徴とす請求項１から請求項５までのいずれかに記載の冷蔵庫である。
このように、冷蔵庫の最上段の庫室の天井内面および／又は天井外面に庫室より小型の臭気溜め室を設けてあるので、該臭気溜め室に溜まった軽い臭気は庫室に逆流し難い。また、該臭気溜め室に前記の排気管を設けてあるため、臭気溜め室に高温空気と共に溜まっている軽い臭気が、排気管から速やかに外気中にドア開閉時の空気流で押し出される。したがって、庫室内に軽い臭気が残留することも少ない。
【００１１】
請求項７は、冷蔵庫の使用開始時に前記の排気管を装備できるように、排気管を取付けるための取付け孔を予め用意しておき、若しくは容易に孔開けできるように下準備してあり、又は排気管の外部突出部が着脱構造となっていることを特徴とする請求項１から請求項６までのいずれかに記載の冷蔵庫である。
このように、冷蔵庫の使用開始時に前記の排気管を装備できるように、排気管を取付けるための取付け孔を予め用意しておき、又は容易に孔開けできるように下準備してあるため、使用開始時に、排気管を取付け装備できる。あるいは、排気管の取付け孔が下準備されているので、容易に取付け孔を開けて、排気管を取付け装備できる。
または、図１のように排気管の外部突出部６が着脱構造となっているため、使用開始時に固定筒６１に装着し、邪魔にならないように移動時や保管時には取り外しておくことができる。
したがって、製造工場から出荷する時点から常に排気管６を取付けておく必要はなく、運搬時や保管時に、排気管の外部突出部６のため嵩張ることもない。
【００１２】
請求項８は、冷蔵庫の任意の１以上の庫室を排気管で外気と連通させておき、ドア開閉時の庫内の圧力上昇や空気流の作用を受けて、庫室内の臭気を排気管で外部に自然と排出することを特徴とする冷蔵庫の臭気排出方法である。
このように、冷蔵庫の任意の１以上の庫室を排気管で外気と連通させておき、ドアの開閉時の空気流の作用を受けて、庫室内の臭気を排気管で外部に自然と排出する方法を採っているので、庫室内の臭気が排気管に自然と流れ込み、次いでドア開閉時の空気流や圧力変化で外気に押し出される。その結果、特別な強制排気手段を設けなくても、自然と庫室内の軽い臭気が排出されるため、庫室内に悪臭が溜まるような問題が低コストで解消される。
【００１３】
請求項９は、冷蔵庫の１以上の庫室をファン無しの排気管で外気と連通させることによって、ドアの開閉時の空気流の作用を受けて、庫室内の臭気が排気管から自然と外部に排出される構造において、上下の庫室間の棚板又は底板に下向きの排気管を設けて、その下端を外気に開口させることによって、前記棚板又は底板上の庫内空気より重い臭気を排出する構造となっていることを特徴とする冷蔵庫である。
このように、上下の庫室間の棚板や底板に下向きの排気管を設けて、その下端を外気に開口させることによって、前記棚板又は底板上の庫内空気より重い臭気を排出する構造となっているので、庫内空気より重い臭気や異臭は、自重で冷蔵庫の下側に排出される。
以上のように、本発明によると、庫室内の臭気が対流やドアの開閉時の空気流で自然と排出されるため、動力が不要で経済的である。しかも、庫内の冷気が強制的に無駄に排出されるのを抑制できて熱効率も優れ、省エネ効果が大きい。
【発明の効果】
【００１４】
請求項１のように、冷蔵庫の庫室をファン無しの排気管で外気と連通させて、ドアの開閉時の空気流の作用を受けて、庫室内の臭気が排気管から自然と外部に排出される構造となっているため、庫室内の温度差などによる対流やドアを開閉する際の圧力や空気流の変化で、庫室内の臭気が排気管に押し込まれ、次いで外気中に排出される。したがって、特別の強制排気手段を設けなくても、自然に庫室内の臭気が排出されるので、庫室内に悪臭が溜まるような問題が解消される。
【００１５】
庫室内の軽い空気は天井寄りに上昇し停滞するので、請求項２のように、冷蔵庫の任意の庫室の天井部を排気管で又は連通管経由の排気管で外気と連通させる構造とすることで、天井寄りに上昇し停滞している軽い臭気が効果的に速やかに排気管や連通管経由の排気管中に上昇し、次いでドア開閉時の空気流で外気中に押し出される。
【００１６】
請求項３のように、天井面を傾斜させて、その傾斜上部を排気管又は連通管を介して外気と接続してあるため、天井面の傾斜上部に上昇し停滞している軽い臭気が効果的かつ速やかに排気管や連通管中に上昇し、次いでドアの開閉時の空気流で外気中に押し出される。また、各庫室内は、外気が入り易いドア寄りの温度が高いので、傾斜上部をドア寄りに配設してあると、臭気の上昇排出も速やかになる。
【００１７】
請求項４のように、下側の段の庫室が、連通管を介して上側の段の庫室と連通しているので、図１のように、下段の庫室の軽い臭気は上段の庫室を経由して、排気管６中に上昇し、次いでドア開閉時の空気流で大気中に押し出される。
あるいは、図２のように、下段の庫室が連通管９を介して前記排気管６と連通している場合は、上段の庫室を通過しないで、連通管９から前記排気管６を経由して、大気中に排出されるので、上段の庫室を、下段の庫室で発生した軽い臭気で汚損する恐れがない。
【００１８】
請求項５のように、前記排気管にフィルター手段を設けてフィルターで塞いであるので、虫や異物が庫室内に侵入して不衛生となる恐れがない。
【００１９】
請求項６のように、冷蔵庫の最上段の庫室の天井内面および／又は天井外面に庫室より小型の臭気溜め室を設けてあるので、該臭気溜め室に溜まった軽い臭気は庫室に逆流し難い。また、該臭気溜め室に前記の排気管を設けてあるため、臭気溜め室に高温空気と共に溜まっている軽い臭気が、排気管から速やかに外気中にドア開閉時の空気流で押し出される。したがって、庫室内に軽い臭気が残留することも少ない。
【００２０】
請求項７のように、冷蔵庫の使用開始時に前記の排気管を装備できるように、排気管を取付けるための取付け孔を予め用意しておき、又は容易に孔開けできるように下準備してあるため、使用開始時に、排気管を取付け装備できる。あるいは、排気管の取付け孔が下準備されているので、容易に取付け孔を開けて、排気管を取付け装備できる。または、図１のように排気管の外部突出部６が着脱構造となっているため、使用開始時に固定筒６１に装着し、邪魔にならないように移動時や保管時には取り外しておくことができる。したがって、製造工場から出荷する時点から常に排気管６を取付けておく必要はなく、運搬時や保管時に、排気管の外部突出部６のため嵩張ることもない。
【００２１】
請求項８のように、冷蔵庫の任意の１以上の庫室を排気管で外気と連通させておき、ドアの開閉時の庫内の圧力上昇や空気流の作用を受けて、庫室内の臭気を排気管で外部に自然と排出する方法を採っているので、庫室内の臭気が排気管に自然と流れ込み、次いでドア開閉時の空気流や圧力変化で外気に押し出される。その結果、特別な強制排気手段を設けなくても、自然と庫室内の軽い臭気が排出されるため、庫室内に悪臭が溜まるような問題が低コストで解消される。
【００２２】
請求項９のように、上下の庫室間の棚板や底板に下向きの排気管を設けて、その下端を外気に開口させることによって、前記棚板や底板上の庫内空気より重い臭気を排出する構造となっているので、庫内空気より重い臭気や異臭は、自重で冷蔵庫の下側に排出される。
【図面の簡単な説明】
【００２３】
【図１】本発明による臭気自然排気式の冷蔵庫の第１実施形態を示す縦断面図である。
【図２】本発明による臭気自然排気式の冷蔵庫の第２の実施形態を示す縦断面図である。
【図３】本発明による臭気自然排気式の冷蔵庫の図３の実施形態を示す縦断面図である。
【図４】本発明を大型冷蔵庫に適用した実施形態の縦断面図である。
【図５】下向き排気管中に設けるファンを示す図で、（１）は縦断面図、（２）はＡ−Ａ断面図である。
【発明を実施するための形態】
【００２４】
次に本発明による自然排気式の冷蔵庫が実際上どのように具体化されるか実施形態を説明する。図１は、本発明による自然排気式の冷蔵庫の第１実施形態で、３段の庫室１、２、３から成る冷蔵庫の筐体４を側面から見た縦断面図で、Ｄは開閉用のドアである。冷蔵庫の筐体４やドアＤは、通常、断熱性を考慮して中空にする場合が多い。
最上段の庫室３の天井面５は傘状に傾斜しており、その最も高い位置に排気管６を配置して、外気と連通させてある。そのため、ドアＤを閉じた際の庫内圧力上昇により、庫室３中の冷蔵物から発生した軽い異臭は、上昇空気と共に排気管６から外気中に排出され、庫室３中に臭気が溜まるのを防止できる。また、傾斜天井面５の最も高い位置に排気管６が有るので、庫室３中の軽い臭気が効果的に天井面５の最も高い傾斜位置に集まって、排出される。従って、排気管６には、ファンなどの強制排気手段は一切不要である。
【００２５】
しかし、冷蔵庫の天板５１から突出していると、製造工場から搬出する際は邪魔であるから、着脱構造にすると好都合である。そのために、着脱式の排気管６の下端を挿入できるように、固定筒（単なる貫通孔でも可）６１を、最上段の庫室３の天板５１と傾斜天井面上端との間に鉛直方向に取付け固定してある。
したがって、運搬時には、外部に突出している排気管６を取り外しておき、使用開始時に固定筒６１中に外部突出の排気管６を挿入し装着する。
なお、補助排気管６２を、外部排気管６に伸縮式に継ぎ足すことで、矢印のように排気口を上下させて、高さ調節もできる。
天板５１の上が狭い場合は、外部排気管６は邪魔になるので、運搬時と同様に取り外しておくと、天板５１の上部の空間が狭い場合に好都合である。ただし、異物が排気筒６１から庫室３中に落下できないように、固定筒６１を、通気性の良いフィルターで閉じておくのがよい。
【００２６】
庫内の空気は、相対的に温度が高いほど上昇するので、天井内面５を図示のように傘状に傾斜させるのがよい。そして、その傾斜上部の最も高い１点に、前記の固定排気筒６１や排気管６を配設するのが効果的である。
温度の高い庫内空気と共に軽い臭気が傾斜した天井内面５に沿って上昇し、最も高い位置に集まって、ドア開閉時の空気流や圧力変化を受けて、排気筒６１や排気管６から外部に押し出される。
【００２７】
ドアＤは時々開閉するため、庫室１、２、３の内部はドアＤ寄りの温度が高い。そして、温度が高いほど、庫内空気は上昇し易いため、臭気排出用の固定筒６１や排気管６は、図１のようにドアＤ寄りに配設するのが効果的である。
デザイン上の都合などにより、鎖線のように、庫室３の後方に排気管６３を配置せざるを得ない場合は、天井内面を鎖線５２のように、後方の排気管６３の真下の位置が最も高くなるように傾斜させるのがよい。
なお、後方排気管６３は、冷蔵庫本体４と一体構造の例である。
【００２８】
最下段の庫室１と最上段の庫室３間とに連通管７を通して、互いに連通しておけば、最下段の庫室１中の軽い異臭は、連通管７で最上段の庫室３中に上昇し、最上段の庫室３中の異臭と共に、ドア閉鎖時の庫室圧力上昇によって、排気管６から外気中に押し出される。
最下段の庫室１や中段の庫室２も、天井面を傘状に傾斜させて、その最上部位に連通管８１、８２を取付けておくと、最下段の庫室１中の軽い異臭は、連通管８１から中段の庫室２中を経由して、中段の庫室２中の軽い異臭と共に、連通管８２から最上段の庫室３中に上昇する。そして、ドア閉鎖圧によって、最上段の庫室３中の軽い異臭と共に排気管６から押し出される。
鎖線８のように連通管８１と８２同士を連結すれば、前記の連通管７と同様に、最下段の庫室１中の軽い異臭は、中段の庫室２を経由しないで、直接に最上段の庫室３中に上昇する。この場合は、中段の庫室２の天井面は傾斜させる意味が無いし、前記の連通管７も不要となる。
【００２９】
したがって、製造に際して、連通管７、８１、８２の何れでも自由に取捨選択できる。また、各庫室１、２の天井部に、連通管７、８１、８２を挿通するための貫通孔を開けて、着脱式の蓋を装着して塞いだ状態で出荷しておけば、ユーザーは使用に際して、所望の位置の蓋を取り外して、連通管７、８１、８２を選択して挿通することができる。連通管８１と８２中に挿通できる連結管を付属品として用意しておき、使用者が挿通すれば、鎖線８の状態となるので、直結の連通管７は最初から省くこともできる。
【００３０】
図２は第２の実施形態で、最下段の庫室１中の天井部に立てた連通管９を、最上段の庫室３の天井面５より上側の天井裏で、排気管６の側壁に連通させて、霧吹きの原理を採用している。
この場合は、最下段の庫室１中の軽い異臭を、連通管９から排気管６に導き、排気管６から直接に外気中に押し出される。すなわち、上段の庫室３中はドアＤの閉鎖時の庫内圧の上昇によって、排気管６中を臭気が押し出される。このときの空気流で連通管９中の臭気を吸引して、排出する。
したがって、最下段の庫室１中に生肉などを貯蔵したりして異臭がひどい場合など、中段や最上段の庫室２、３を経由しないで、排気管６経由で外気中に排出できるので、中段や最上段の庫室２、３中が最下段の庫室１中の異臭の影響を受けることが無い。連通管９の下端を中段の庫室２の天井面に接続して、中段庫室２の臭気や悪臭を、排気管６から排気することもできる。
【００３１】
図示の連通管９に、中段庫室２の天井部において横孔を開けておけば、庫室１、２両方の臭気を連通管９で排出することもできる。また、連通管９や図１の連通管７は、ドアＤを開けて冷蔵物を出し入れする際の邪魔にならないように、左右の壁部に寄せて配管するのがよい。あるいは、奥の方に配置してもよい。
なお、天井面５の下側、すなわち最上段の庫室３の天井面５寄りの位置において、連通管９の上端を排気管６の下端に連通させることも可能である。
【００３２】
図３は第３の実施形態で、最上段の庫室３に関しては、図１の実施形態と同じで、傘状に傾斜した天井面５の最も高い部位に、強制排気手段無しの排気管６を設けてある。
ところが、傾斜天井面５の天井裏室５３を形成して、最下段の庫室１中と天井裏室５３とを連通路１０で連通してあり、中段の庫室２中と前記天井裏室５３とを連通路１１で連通してある。
したがって、最下段の庫室１中で発生した軽い異臭や中段の庫室２中で発生した軽い異臭は、連通路１０、１１によって天井裏室５３中に上昇し、次いで排気管６を経て、ドア閉鎖圧によって外気中に押し出される。このように、各庫室１、２独自の連通路１０、１１中を軽い臭気が上昇し、ドア閉鎖圧によって排気管６から大気中に押し出される構造も可能である。
なお、連通路１０、１１は、図１、２のような管状でもよいが、ダクト状でもよい。
【００３３】
図３の横向きの排気管６の開口にフィルターｆを入れてあり、図２の直立状の排気管６の上端にもフィルターｆを取付けてある。したがって、ゴキブリその他の虫などが排気管６から冷蔵庫の庫室内に侵入するのを防止できる。なお、フィルターｆとしては、各種の網類を利用したり、不織布などを用いることもできる。網類のメッシュは自由で、特に限定されないが、より細かい方がよい。
【００３４】
図４は、臭気溜め室１２を設けた実施形態の縦断面図である。この臭気溜め室１２は、各庫室よりも小型である。そして、図示例では、天板５１より上側に突出しているが、最上段の庫室中まで拡張すると、臭気溜め室としての容量が増加する。
あるいは、天板５１より下側だけ、すなわち庫室内の臭気溜め室だけにすることもできる。この場合は、天板５１から上側に突出しない臭気溜め室となる。
そして、このような臭気溜め室１２中に上昇して来た軽い臭気を、前記の固定筒６１や排気管６を経て、冷蔵庫の外にドア閉鎖圧によって押し出す。
【００３５】
図４は、大型の冷蔵庫の例で、１４は出し入れ口のエアカーテン用のエア吹き出し装置、ｈはドアＤの取っ手、１５はコンデンサー、１６は室外機、１７は排水管であり、各庫室には、多数の冷蔵品１８を収納してある。  なお、本発明の冷蔵庫は、ショーケース用の冷蔵庫にも適用可能である。
【００３６】
以上の実施形態は、天板から上側に排気管が突出する構造であるが、上側に排気管用の空間が無い場合は、図３に鎖線６４で示すように、天井部の背部から横向きに、あるいは、冷蔵庫本体の左右方向に排気管を突出させることも可能である。
前記のように横方向に排気管を突出させ、しかも天井内面を傾斜させる場合は、ドアの位置は無視し、横向き排気管のつけ根の部位に傾斜天井の最高部を位置させることは言うまでもない。
上下の庫室１・２・３間の棚板は冷蔵庫筐体４と一体とは限らず、分離構造になっていて、支持レール１９上に端部が支持された状態で、自由に取り外したり、前後動できるような構造も多い。従って、連通管７・９は、棚板を装着する際に挿通し組み立てることになる。なお、支持レール１９は、左右の側壁内面に設けるのが通常である。
【００３７】
以上は、臭気や異臭の気体が空気より軽い場合を想定しているが、空気より重い臭気や異臭の場合は、図１のような下向きの排気管２０を設ける。最下段の庫室１の下側にコンプレッサーやモータＭを配設してある場合が多いので、庫室１の底板は平坦ではなく、前下がりに傾斜している構造が多い。その結果、庫室１内における空気より重い臭気や異臭は、ドアＤ寄りに下降して溜まるが、ドアＤの開閉の際に自然と排出されるので問題はない。
２段目以上の庫室２、３中に溜まった重い臭気を排出するために、２段目の庫室２の棚板２ｐに下向きの排気管２０を設けて、その下端を、底板１ｐより下側で開口させてある。その結果、庫室２中の空気より重い臭気や異臭は、排気管２０中を下降して、自然と大気中に排出される。
【００３８】
庫内の臭気や異臭は、庫内の空気より重く、しかも冷えていて外気より重いので、自重によって容易に排気管２０中を下降して、庫外に排出される。
棚板２ｐの上面を漏斗状に傾斜させて、その最も深い位置に前記の排気管２０の上端を開口させてあるので、庫室２中の空気より重い臭気や異臭は、全部漏斗状部に集中してから排気管２０中に下降し、下端の開口から外気中に排出される。
３段目の庫室３の棚板３ｐの上面も漏斗状に傾斜させてあるので、庫室３中の空気より重い臭気や異臭は漏斗状部に集中してから、連通孔を通過して、中段の庫室２中に下降する。そして、庫室２中を経由して、棚板２ｐ上面の漏斗状部に自重で集中し、排気管２０中を下降して外気中に排出される。
なお、漏斗状部の上には平坦な簀の子を載せるので、冷蔵物の載置に支障が生じることはない。また、最下段の庫室１の底板１ｐの低部に前記の排気管２０を設けることも可能である。
【００３９】
前記の排気管２０中には、図５のように、水車状のファン２０ｆを設けて、通常は水車状ファン２０ｆが回転しないため、排気管２０中はほぼ閉じた状態になっている。ドアＤの開閉の際の空気流の作用を受けて、庫内の空気が動いて、空気より重い臭気や異臭が漏斗状部に集中し、排気管２０中を下降する際の下降空気（臭気や異臭）によって水車状ファン２０ｆが回転する。従って、庫内空気より重い臭気や異臭だけが外気中に排出され、臭気や異臭を伴わない通常の庫内空気が無駄に排出されるのを水車状ファン２０ｆで抑制している。
なお、図１のように、プロペラ状のファンを用いることもできるが、その中心の支軸を排気管２０の中心に配設するために、排気管２０内面から支持手段を延ばす必要がある。
【００４０】
以上のように、庫内空気より重い臭気や異臭は、その自重で自然と下降して、最終的に排気管中を下降して、大気中に排出されるが、ドアＤの開閉時の庫内の空気の動きによって、空気より重い臭気や異臭は、棚板上面の漏斗状部に自然と集まり、排気管中に下降して排出される。
これに対し、庫内の空気より軽い臭気や異臭は、庫内では自然と上昇して、天井部の排気管６、６１側まで上昇するが、庫内の冷気は外気より重いため、ドアＤを閉じる際の庫内空気流や閉じる際の加圧によって、天井部の排気管６、６１中の臭気や異臭を外気に押し出して排出することになる。
【産業上の利用可能性】
【００４１】
本発明によると、以上のように、冷蔵庫の天井部にファン無し排気管を設けることで、生肉などから発生し易い臭気や異臭などを強制的でなく、ドアの開閉時の空気流の作用を受けて自然と排出でき、しかもファン排気式のように冷却効率を低下させる恐れはなく、熱効率を犠牲にしないで済む。また、庫内空気より重い臭気や異臭は、棚板や底板に設けた下向きの排気管中を自重で下降するので、確実に外気に排出される。
【符号の説明】
【００４２】
１・２・３  庫室
４  冷蔵庫筐体  
Ｄ  ドア    
５  天井面    
５１  天板    
５３  天井裏室    
６  排気管    
６１  固定筒（排気管の挿入孔）    
６２  補助排気管      
６３  後方排気管
６４  横向き排気管    
７  連通管    
８１・８２  連通管    
８  連結管
１０・１１  連通路    
ｆ  異物阻止用のフィルター    
１２  臭気溜め室
１８  冷蔵品
２０  排気管
１ｐ  底板
２ｐ・２ｐ  棚板
【図１】
2009276055.tif 000003
【図２】
2009276055.tif 000004
【図３】
2009276055.tif 000005
【図４】
2009276055.tif 000006
【図５】
2009276055.tif 000007